(57)【特許請求の範囲】
【請求項１】
下キャビネットと、
前記下キャビネットの上方に配置され、背面側の壁面に固定される上キャビネットと、
前記下キャビネットの上面開口を覆うように前記下キャビネットの上面に載置されるカウンターと、
前記上キャビネットの下部に配置され、上方から前記カウンターを前記下キャビネットに押さえ付けることが可能で且つ上下方向に変位することが可能な押さえ部材と、を備えることを特徴とするカウンター取付構造。
【請求項２】
前記カウンターは前記下キャビネットの上面開口を貫通した配管が挿通される挿通口を有し、前記上キャビネットが前記挿通口を上方から覆うように配置されていることを特徴とする請求項１記載のカウンター取付構造。
【請求項３】
前記上キャビネットの下部にはねじ孔を有する連結部材が取り付けられ、前記押さえ部材は前記ねじ孔にねじ込まれるボルトであることを特徴とする請求項１又は２記載のカウンター取付構造。
【請求項４】
前記上キャビネットの下部に、前記上キャビネットの前面に設けられた扉板の下面と前記カウンターの上面との間の隙間を塞ぐ化粧板を有し、前記押さえ部材が前記上キャビネットの下部内側に配置されていることを特徴とする請求項１ないし３のいずれか１項記載のカウンター取付構造。
【発明の詳細な説明】
【技術分野】
【０００１】
本発明は、カウンター取付構造に関する。
【背景技術】
【０００２】
特許文献１には、ライニングと、ライニングの上面のカウンターに設置されるキャビネットとを備える汚物流しユニットが開示されている。ライニングの前面には、オスメイト（人工肛門保有者・人工膀胱保有者）が汚物を廃棄したり洗い流したりする作業を行うためのボウルが設置されている。ボウルの上部には、水栓、液体石鹸供給器、フラッシュバルブの操作部が備えられ、これら器具への配管がライニングの内部に収容されている。
【先行技術文献】
【特許文献】
【０００３】
【特許文献１】特開２００８−２８４０４３号公報
【発明の概要】
【発明が解決しようとする課題】
【０００４】
ところで、上記の場合、ライニングのカウンターにキャビネットが設置されているため、カウンターを取り外すのが容易ではないという事情がある。このため、配管等の点検時において、作業者は、ライニングの前面板を取り外し、前方から内部を覗き見る必要があり、作業性が悪いという問題がある。
【０００５】
本発明は上記のような事情に基づいて完成されたものであって、内部点検などを行う際の作業性の向上を図ることを目的とする。
【課題を解決するための手段】
【０００６】
本発明のカウンター取付構造は、下キャビネットと、前記下キャビネットの上方に配置され、背面側の壁面に固定される上キャビネットと、前記下キャビネットの上面開口を覆うように前記下キャビネットの上面に載置されるカウンターと、前記上キャビネットの下部に配置され、上方から前記カウンターを前記下キャビネットに押さえ付けることが可能で且つ上下方向に変位することが可能な押さえ部材と、を備えるところに特徴を有する。
【発明の効果】
【０００７】
カウンターは、押さえ部材で下キャビネットに押さえ付けられ、下キャビネットに取り外しを規制された状態に保持される。一方、押さえ部材が上方に変位することで、押さえ部材の押さえ付けを解除することができる。下キャビネットの内部点検時などにおいて、作業者は、押さえ部材の押さえ付けを解除した後、カウンターを手前側に引き抜いて取り外し、下キャビネットの上面開口を通して内部の点検を行うことができる。したがって、本発明によれば、下キャビネットの内部点検などの作業を行う際の作業性の向上を図ることができる。
【図面の簡単な説明】
【０００８】
【図１】本発明の実施例１に係るカウンター取付構造を含むトイレルームの斜視図である。
【図２】上キャビネットの内部構造を示す斜視図である。
【図３】上キャビネット、下キャビネット及びカウンターを側方から見た断面図である。
【図４】ボルト、連結部材及び化粧板の取り付けを説明するための斜視図である。
【図５】上キャビネットと下キャビネットとの間においてカウンター及び化粧板が取り外された状態を示す断面図である。
【図６】上キャビネットと下キャビネットとの間においてカウンターがボルトによって下キャビネットに押さえ付けられた状態を示す断面図である。
【図７】カウンターの平面図である。
【図８】上キャビネットの扉板の下方の隙間が化粧板で塞がれた状態を示す正面図である。
【発明を実施するための形態】
【０００９】
本発明の好ましい実施形態を以下に示す。  
前記カウンターは前記下キャビネットの上面開口を貫通した配管が挿通される挿通口を有し、前記上キャビネットが前記挿通口を上方から覆うように配置されているとよい。これによれば、上キャビネットによって挿通口を隠すことができるため、外観を良好に保つことができる。
【００１０】
前記上キャビネットの下部にはねじ孔を有する連結部材が取り付けられ、前記押さえ部材は前記ねじ孔にねじ込まれるボルトであるとよい。これによれば、簡易な構造及び操作によってカウンターの押さえ付けを解徐し、カウンターを取り外すことができる。
【００１１】
前記上キャビネットの下部に、前記上キャビネットの前面に設けられた扉板の下面と前記カウンターの上面との間の隙間を塞ぐ化粧板を有し、前記押さえ部材が前記上キャビネットの下部内側に配置されているとよい。これによれば、化粧板によって押さえ部材を隠すことができるため、外観を良好に保つことができる。
【００１２】
＜実施例１＞
以下、実施例１を図面に基づいて説明する。実施例１は、多目的トイレのトイレルーム１０におけるカウンター取付構造を例示するものであり、汚物を廃棄、洗浄するための汚物流し１１を前面側に設けた下キャビネット１２と、下キャビネット１２の上方に配置される上キャビネット１３と、下キャビネット１２の上面に載置されるカウンター１４とを備えている。
【００１３】
汚物流し１１は、上面が大きく開口する深さの深い形態とされ、背面側が下キャビネット１２の前面板１５に固定されている。図３に示すように、汚物流し１１の下部には下キャビネット１２の内側（後述する収容空間１６）から前面板１５を貫通して延びる排水管１７が接続されている。汚物は、排水管１７を通して洗浄水とともに外部に排出されるようになっている。
【００１４】
下キャビネット１２は、フレーム構造を骨格としてなり、フレーム構造を介してトイレルーム１０の壁面１８及び床面１９に固定されている。下キャビネット１２の前面は、上下方向に沿った前面板１５で閉塞されている。図１に示すように、汚物流し１１を設けた前面板１５の左右両側には、トイレットペーパーホルダー２１などを設けた他の前面板１５Ａが継ぎ目を挟んで隣接して配置されている。前面板１５Ａの側面は側面板２２などで閉塞され、下キャビネット１２は全体として箱形をなしている。
【００１５】
図２に示すように、前面板１５には、石鹸水供給器の吐水部２３、水栓の吐水部２４及び水栓の操作部２５などの端末部品が前方に突出する形態で取り付けられている。フラッシュバルブは、汚物流し１１内の汚物を洗浄水の水圧で一気に洗い流すためのものであり、汚物流し１１の上端内周に形成されたリムの孔から所定の時間洗浄水を流出させるようになっている。上記端末部品は、汚物流し１１の上方に略同じ高さで横並びで配置され、石鹸水供給器の吐水部２３及び水栓の吐水部２４は、汚物流し１１内に吐水可能となっている。また、図３に示すように、下キャビネット１２の内側となる前面板１５とトイレルーム１０の壁面１８との間は、上記端末部品に接続された配管２６が収容される収容空間１６になっている。
【００１６】
図５に示すように、下キャビネット１２の上面には、周縁の輪郭部２８（フレーム構造の一部）を残して開口する開口部２７が設けられている。カウンター１４は、開口部２７を部分的に覆いつつ下キャビネット１２の上面の輪郭部２８に載置されている。このカウンター１４は、下キャビネット１２に対する固定構造を自ら有さず、押さえ部材としてのボルト５１に上方から押さえ付けられることで、下キャビネット１２の上面に載置された状態を維持することが可能とされている。下キャビネット１２の上面とカウンター１４の下面との間にはスペーサー２９が介在しており、図６に示すように、カウンター１４はスペーサー２９に支持される。
【００１７】
図４及び図７に示すように、カウンター１４は、方形平板の後端に挿通口３１が切欠状に大きく開口してなる本体板部３２と、本体板部３２の前端に沿って延び且つ下方に爪状に突出する先端突条部３３とからなる。図６に示すように、挿通口３１は、下キャビネット１２の開口部２７と連通しており、内側に、下キャビネット１２の収容空間１６から開口部２７を通して上方に延びる配管２６が挿通されている。本体板部３２は、挿通口３１を区画することによって凹状に形成されている。先端突条部３３は、下端に向けて次第に厚みが小さくなり且つ前面が後退する傾斜面になっている。カウンター１４が下キャビネット１２の上面に載置されると、先端突条部３３が下キャビネット１２の前面板１５の上端部を前方から覆うようにして配置される。
【００１８】
図１に示すように、上キャビネット１３は、前面を閉塞する扉板３４と、左右両側面を閉塞する側板３５と、上面を閉塞する天板３６とを有し、全体として縦長の箱形をなしている。上キャビネット１３の背面は、トイレルーム１０の壁面１８に固定されている。このため、上キャビネット１３は、カウンター１４の上面との間に隙間をあけた状態で配置される。扉板３４は、側板３５にヒンジを介して開閉可能に取り付けられている。扉板３４の前面には、鏡３７が全体を覆うようにして設けられている。
【００１９】
上キャビネット１３の前端となる扉板３４の前面（外面）は、カウンター１４の挿通口３１よりも前側（外側）に位置し、上キャビネット１３の左右端となる側板３５の外面は、カウンター１４の挿通口３１よりも左右外側に位置している。平断面視においては（天板３６を除いた上キャビネット１３を上方から見たとき）、挿通口３１の外側に、上キャビネット１３の周壁部分（左右の側板３５と扉板３４）が位置することになる。言い換えれば、挿通口３１を上方に投影した投影範囲の外側に、上キャビネット１３の周壁部分が位置することになる。端的には、カウンター１４の上方に、上キャビネット１３の周壁部分が位置する。こうして挿通口３１は、上キャビネット１３によって上方から覆われることになる。
【００２０】
図２に示すように、上キャビネット１３の内側には、フラッシュバルブの本体部３８、電気温水器３９、及び石鹸水供給器のタンク４１などが収容されている。図６に示すように、上キャビネット１３の下面は開口しており、その開口部分と、カウンター１４の挿通口３１と下キャビネット１２の開口部２７とを上下に貫通する形態で、フラッシュバルブの本体部３８と汚物流し１１とをつなぐ配管２６などの各種配管や配線が配置されている。なお、上キャビネット１３の中段には構造材４３が設けられており、構造材４３に、トイレットペーパーや洗剤などの消耗品を載せることが可能となっている。
【００２１】
ここで、扉板３４の下面とカウンター１４の上面との間に形成される隙間は、側板３５の下面とカウンター１４の上面との間に形成される隙間よりも大きくされている（図３を参照）。上キャビネット１３の下部には、上記隙間を埋めるようにして化粧板４５が設けられている。
【００２２】
化粧板４５は金属製の板材からなり、図４に示すように、左右方向に延びて前面側の隙間を覆う被覆板部４６と、被覆板部４６の左右両端の上端部から互いに平行に突出する腕板部４７とを有している。被覆板部４６の下端の前後２箇所には、受孔４８が切欠状に開口して設けられている。腕板部４７は、側板３５の内面の下部前端側に内側から当接可能に配置され、受孔４８に固定ピン４９が掛け止められることにより、側板３５の内面の下部前端側に固定される（図６を参照）。また、腕板部４７が側板３５の内面に固定されると、被覆板部４６が扉板３４の下方の隙間を塞ぐようにして両側板３５間に架設される（図８を参照）。
【００２３】
上キャビネット１３の下部には、カウンター１４を上方から押さえ付けることが可能な押さえ部材としてのボルト５１が設けられている。ボルト５１は、連結部材５２を介して側板３５の内面の下部前端側に連結されている。
【００２４】
図５に示すように、連結部材５２は、Ｌ型金具としての連結本体５３と、ナット５４とを有している。連結本体５３は、側板３５の内面の下部前端側に取付ねじで固定される垂直板部５５と、カウンター１４の上面との間に間隔をあけて配置される水平板部５６とからなる。図６に示すように、垂直板部５５は、側板３５の内面に固定された状態で、化粧板４５の腕板部４７の直下方に配置される。水平板部５６には、ボルト通し孔５７が貫通して設けられている。
【００２５】
ナット５４は、水平板部５６の上面に固定して設けられている。このナット５４は、六角ナットであって、ボルト通し孔５７に連通するねじ孔５８を有している。ボルト５１は、六角ボルトであって、頭部５９が下向きとされ、軸部６１が下方からボルト通し孔５７を通してねじ孔５８にねじ込まれることにより、連結部材５２に対して上下方向に移動可能に取り付けられる。
【００２６】
ボルト５１の頭部５９の下面は、カウンター１４の上面を押圧可能な押圧面６２になっている。ねじ孔５８に対する軸部６１のねじ込み量が調整されることで、頭部５９の押圧面６２の高さ位置が上下に変動するようになっている。
【００２７】
頭部５９の押圧面６２は、カウンター１４の上面に貼設されたクッション材６３に当接し、クッション材６３を介してカウンター１４に押圧力を伝達することが可能とされている。クッション材６３は、頭部５９の滑り止め、押さえ付け時の衝撃吸収、及びカウンター１４の損傷防止などの作用を有している。クッション材６３としては、ポリウレタンなどの合成樹脂製のバンポン（住友３Ｍ（株）の商品名）を好適に用いることができる。
【００２８】
次に、押さえ部材としてのボルト５１の作用を具体的に説明し、さらに配管２６などを点検する際の作業方法を説明する。  
組み付けに際し、連結部材５２のナット５４にボルト５１が螺合され、両側板３５の内面の下部前端側に連結部材５２が固定される。ボルト５１は、頭部５９の押圧面６２が側板３５の下面と同じ高さ位置か、あるいは側板３５の下面よりも上方に位置するように、ナット５４に螺合される（図５を参照）。続いて、両側板３５の内面の下部前端側に化粧板４５が固定される（図４を参照）。これにより、上キャビネット１３の内側の前面下端部が化粧板４５の被覆板部４６で閉塞される。
【００２９】
次いで、ボルト５１の頭部５９に工具があてがわれ、頭部５９が下降する方向にボルト５１の回転操作がなされる。頭部５９の押圧面６２がクッション材６３に当接する位置に至り、さらにボルト５１の回転操作が継続されると、カウンター１４にクッション材６３を介して下向きの押圧力が付与され、カウンター１４が下キャビネット１２の上面に押さえ付けられる。こうしてカウンター１４が下キャビネット１２と上キャビネット１３との間にボルト５１を介して挟まれて保持され、カウンター１４の取り外しが規制されて、ボルト５１の回転操作が停止される。
【００３０】
その後、上キャビネット１３の扉板３４が閉じられると、扉板３４の下面とカウンター１４の上面との間の隙間を埋めるようにして化粧板４５の被覆板部４６が配置される（図６及び図８を参照）。このため、カウンター１４の挿通口３１が被覆板部４６の裏に隠れて見えない状態となり、配管２６などが外部から覗き見られるのを防止することができる。また、連結部材５２とボルト５１も、被覆板部４６の裏に隠れて見えない状態となる。
【００３１】
メンテナンスなどの事情により、下キャビネット１２の内部点検を行う際には、扉板３４が開かれ、化粧板４５が両側板３５から取り外される。続いて、ボルト５１の頭部５９に工具があてがわれ、頭部５９が上昇する方向にボルト５１の回転操作がなされる。すると、ボルト５１の押圧力が減退し、ボルト５１の頭部５９がクッション材６３から離間する。こうしてカウンター１４の押さえ付けが解除されることにより、カウンター１４の取り外しが許容される。
【００３２】
続いて、カウンター１４の先端突条部３３などが作業者の手指で把持されて手前側に引っ張られ、カウンター１４が前方にスライドして引き抜かれる（図５を参照）。すると、下キャビネット１２の開口部２７の全体が開放され、これまでカウンター１４の本体板部３２に隠れていた配管２６などが上方から視認可能に露出する。また、前面板１５の裏面に近接する端末部品と配管２６との継手部６５も上方から視認可能に露出する（図５を参照）。このため、作業者は、開口部２７を通して上方から収容空間１６の配管類を目視確認することができ、例えば、継手部６５の水漏れ点検などを行うことができる。そして、必要に応じて、収容空間１６に修繕工具を差し込み、修繕作業を行うこともできる。点検作業の完了後、カウンター１４が隙間に差し込まれて下キャビネット１２の上面に載置され、上記組み付けと同様の作業を行うことにより、カウンター１４が下キャビネット１２の上面に保持された状態に復元される。
【００３３】
以上説明したように、実施例１によれば、ボルト５１の頭部５９がカウンター１４を下キャビネット１２の上面に押さえ付けることにより、カウンター１４が下キャビネット１２の上面に対して取り外しを規制された状態に保持される。一方、ボルト５１の頭部５９が上昇する方向に回転操作されることで、ボルト５１の押さえ付けが解除され、カウンター１４の取り外しが許容される。下キャビネット１２の内部点検時などにおいて、作業者は、ボルト５１の押さえ付けを解除した後、カウンター１４を手前側に引き抜いて取り外し、下キャビネット１２の開口部２７を通して内部の点検を行うことができる。したがって、下キャビネット１２の内部点検などを行う際の作業性が改善される。
【００３４】
また、カウンター１４を手前側に引き抜くことができるため、カウンター１４に、下キャビネット１２の前面板１５の上端部を前方から覆う先端突条部３３のような部分を支障なく設けることができ、カウンター１４の先端形状の設計自由度が高められる。
【００３５】
また、カウンター１４が下キャビネット１２の開口部２７を貫通した配管２６が挿通される挿通口３１を有し、上キャビネット１３が挿通口３１を上方から覆うように配置されるため、上キャビネット１３によって挿通口３１が隠され、外観を良好に保つことができる。とくに、上キャビネット１３の前面に設けられた扉板３４の下面とカウンター１４の上面との間に隙間が形成されるものの、上キャビネット１３の下部に、隙間を前方から塞ぐようにして化粧板４５が取り付けられるため、挿通口３１が化粧板４５によって確実に隠された状態となる。また、連結部材５２とボルト５１も化粧板４５によって隠された状態となり、外観をより良好に保つことができる。
【００３６】
さらに、上キャビネット１３の下部にねじ孔５８を有する連結部材５２が取り付けられ、ボルト５１の回転操作に基づいてカウンター１４の押さえ付けとその解除を行うことができるため、作業性がより良好となるのに加え、構成の簡素化及び小型化を図ることができる。
【００３７】
＜他の実施例＞
以下、他の実施例を簡単に説明する。
（１）ボルトの頭部の下面（押圧面）に、クッション材に相当するものを貼り付けてもよい。また、クッション材が省略され、ボルトの頭部がカウンターの上面に直接当接するものであってもよい。
（２）扉板の前面には鏡が設けられていなくてもよい。  
（３）連結部材からナットが省略され、連結本体に筒状部がバーリング加工などで一体に設けられ、筒状部にボルトがねじ込まれる構成であってもよい。  
（４）押さえ部材が、ボルトではなく、上下方向に多数の孔を並設した柱材からなり、上キャビネット側から突出するピンが柱材の孔に選択的に差し込まれることで、上キャビネットに対して上下方向に多段階的に変位可能となるものであってもよい。また、押さえ部材は、公知のラッチ機構やリンク機構を利用して上下方向に変位可能となるものであってもよい。  
（５）本発明は、多目的トイレに限らず、汚物流しを有しない一般のトイレにも適用可能であり、さらに、トイレに限らず、洗面台、台所などの他の住宅設備ユニットにも適用可能である。
【符号の説明】
【００３８】
１０…トイレルーム
１２…下キャビネット
１３…上キャビネット
１４…カウンター
１８…壁面
２６…配管
２７…開口部（上面開口）
３１…挿通口
３４…扉板
４５…化粧板
５１…ボルト（押さえ部材）
５２…連結部材
５４…ナット
５８…ねじ孔
【図１】
0006556048.tif 000002
【図２】
0006556048.tif 000003
【図３】
0006556048.tif 000004
【図４】
0006556048.tif 000005
【図５】
0006556048.tif 000006
【図６】
0006556048.tif 000007
【図７】
0006556048.tif 000008
【図８】
0006556048.tif 000009